(57)【特許請求の範囲】
【請求項１】
車両に装備されるランプのカバー内面に防曇剤を塗布するために使用される冶具であって、
熱可塑性樹脂シートの成形物からなり、表面側から一または二以上のカバー取付部が凹設されており、
上記カバー取付部の外郭形状が上記カバーの根端周縁形状に沿った形状とされていることによって、上記カバーは上記カバー取付部に適嵌された状態となり、該状態で上記カバーの内面に防曇剤が塗布されるように構成されたカバー防曇処理用冶具であり、
上記カバーには、根端周縁にフランジが形成されており、
上記冶具には、上記カバー取付部の周壁に、上記カバーの上記フランジに係合する係合突起が設けられていることを特徴とするカバー防曇処理用治具。
【請求項２】
上記カバーは、本体と、該カバーをハウジングに取付けるために該本体の根端周縁に設けられている取付リブとからなり、
上記冶具のカバー取付部の外郭には上記カバーの取付けリブを嵌着するためのリブ嵌着溝が形成されている請求項１に記載のカバー防曇処理用治具。
【請求項３】
上記冶具の裏面側には、複数個の脚部が、上記カバー取付部を囲むようにして、一体的に設けられている請求項１または請求項２に記載のカバー防曇処理用治具。
【請求項４】
上記冶具の表面側には上記カバー取付部を囲んで高段部が形成されており、上記防曇剤の塗布に当たっては、支持台上端を上記冶具の高段部内側に適嵌することによって該冶具を上記支持台上に載置支持する請求項１から請求項３のいずれか一項に記載のカバー防曇処理用治具。
【請求項５】
上記ランプの光源はＬＥＤである請求項１から請求項４のいずれか一項に記載のカバー防曇処理用治具。
【発明の詳細な説明】
【技術分野】
【０００１】
本発明は、自動車等の車両に装備されるランプのカバー内面に防曇剤を塗布する場合、上記カバーを支持するために使用される冶具に関する。
【背景技術】
【０００２】
最近、ＬＥＤの著しい発展に伴って、自動車等のヘッドランプ、テールランプ、フォグランプ等の光源として、ＬＥＤが多用される傾向にある。しかしＬＥＤは従来のハロゲンランプと比べると発熱量が小さい。したがってランプのハウジング内に侵入した水分がカバー内面に付着しても蒸発しにくく、カバーに曇りが発生し易いと云う問題点がある。
そこで特に光源がＬＥＤであるランプに対しては防曇処理が必要である。
防曇処理としては、ランプのカバーの内面に防曇剤を塗布する処理が一般的である。
周知のように自動車等のランプは大量生産される。したがって、上記防曇処理は大量生産に適応した能率的な処理方法が提供されなければならない。
従来、自動車等のランプのカバーを部分的に塗装するために使用するマスキング治具（特許文献１）や、ランプのアウタレンズ（カバー）のシールリブを塗装から保護するために使用されるマスク治具（特許文献２）は提供されているが、大量のランプのカバーに能率的に防曇剤を塗布するために用いられる冶具は提供されていない。
【先行技術文献】
【特許文献】
【０００３】
【特許文献１】特開２０１２−９７３４６号公報
【特許文献２】特開２０１３−１９７０５４号公報
【発明の概要】
【発明が解決しようとする課題】
【０００４】
本発明は大量のランプのカバーを能率的に防曇処理するための冶具を提供することを課題とするものである。
【課題を解決するための手段】
【０００５】
本発明は、上記課題を解決するための手段として、車両に装備されるランプのカバー内面に防曇剤を塗布するために使用される冶具であって、熱可塑性樹脂シートの成形物からなり、表面側から一または二以上のカバー取付部が凹設されており、上記カバー取付部の外郭形状が上記カバーの根端周縁形状に沿った形状とされていることによって、上記カバーは上記カバー取付部に適嵌された状態となり、該状態で上記カバーの内面に防曇剤が塗布されるように構成されたカバー防曇処理用冶具であり、上記カバーには、根端周縁にフランジが形成されており、上記冶具には、上記カバー取付部の周壁に、上記カバーの上記フランジに係合する係合突起が設けられていることを特徴とするカバー防曇処理用治具を提供する。
更に詳しく述べれば、望ましい実施の形態としては、上記カバーは、本体と、該カバーをハウジングに取付けるために該本体の根端周縁に設けられている取付リブとからなり、上記冶具のカバー取付部の外郭には上記カバーの取付けリブを嵌着するためのリブ嵌着溝が形成されている態様が挙げられる。
上記冶具の裏面側には、複数個の脚部が、上記カバー取付部を囲むようにして、一体的に設けられていることが望ましい。
また更に上記冶具の表面側には上記カバー取付部を囲んで高段部が形成されており、上記防曇剤の塗布に当たっては、支持台上端を上記冶具の高段部内側に適嵌することによって該冶具を上記支持台上に載置支持することが望ましい。
本発明が有用に機能するのは、上記ランプの光源がＬＥＤである場合である。
【発明の効果】
【０００６】
〔作用〕
本発明のカバー防曇処理用治具２（以下、単に冶具２と云う）のカバー取付部５にカバー１の根端部分を適嵌する。この状態で上記カバー１の内面１Ｄに防曇剤ＡＦを塗布する。上記防曇剤ＡＦの塗布としては、通常スプレー塗布が適用される。防曇剤ＡＦ塗布の際には、通常該冶具２の表面側を下向きにし、上記カバー１の内面１Ｄを上向きとし、上方から防曇剤ＡＦをスプレー塗布する。カバー１の根端周縁形状は、該根端周縁にフランジ１Ｂを形成しておき、そして取付けリブ１Ｃは該フランジ１Ｂの内部に設定し、一方上記冶具２のカバー取付部５の周壁には上記カバー１のフランジ１Ｂに係合する係合突起を設け、該係合突起９を上記カバー１のフランジ１Ｂに係合すれば、上記冶具２のカバー取付部５に上記カバー１をしっかり装着することが出来る（請求項１）。
望ましい実施の態様としては、上記カバー１は本体１Ａと、該本体１Ａの周縁に設けられている取付けリブ１Ｃとからなり、上記取付けリブ１Ｃを上記冶具２のカバー取付部５の外郭に形成されているリブ嵌着溝７に嵌着することによって、上記カバー１を上記冶具２のカバー取付部５に取付ける（請求項２）。
上記冶具２に取付けた一または二以上のカバー１の内面１Ｄに防曇剤ＡＦを塗布した後は、通常上記カバー１を上記冶具２に取付けたままで乾燥させる。この場合、上記冶具２の裏面側に脚部１１を設けておくと、該冶具２を、表面側を上向きに、裏面側を下向きにして裏面側の脚部１１によって上記冶具２を支持することが出来る（請求項３）。
更に防曇剤ＡＦの塗布に際しては、上記冶具２のカバー取付部５を囲んで高段部４を形成しておくと、上記高段部４の内側形状に適嵌する上端形状を有する支持台１２を使用して、上記冶具２を載置支持することが出来る（請求項４）。
上記ランプの光源がＬＥＤである場合には、該ＬＥＤは発熱量が小さいので従来のハロゲンランプよりも曇り易く、防曇処理が必須のものとなる（請求項５）。
〔効果〕
本発明にあっては、大量のランプのカバーに効率良く防曇処理を施すことが出来る。
【図面の簡単な説明】
【０００７】
図１〜図７は本発明の一実施例を示すものである。
【図１】ランプカバーの側面図。
【図２】ランプカバーの平面図。
【図３】冶具の平面図。
【図４】冶具の裏面図。
【図５】図４におけるＬ−Ｌ断面図。
【図６】防曇処理を説明する断面図。
【図７】防曇剤塗布後の乾燥段階説明断面図。
【図８】他の実施例の説明斜視図。
【発明を実施するための形態】
【０００８】
本発明を図１〜図７に示す一実施例によって以下に詳細に説明する。
図１および図２に示すカバー１は自動車のヘッドランプのカバーであり、本体１Ａと、該本体１Ａ周縁に設けられるフランジ１Ｂと、該本体１Ａをランプハウジング（図示せず）に取付けるため該フランジ１Ｂの下面から差出される取付けリブ１Ｃとからなる。
【０００９】
図３〜図５に示すのは、防曇処理工程中、上記カバー１を支持する冶具２である。
上記冶具２は熱可塑性樹脂シート３の成形物からなり、該シート３の表面側周縁から平面四角枠形状の高段部４を介して中央部にはカバー取付部５が凹設される。
上記カバー取付部５は平面形状が上記カバー周縁形状を覆う略四角形状の凹部であり、上記カバー取付部５の中央部には平面形状が上記カバー周縁形状に略一致した形状の開口部６が設けられている。
【００１０】
上記開口部６の周縁部には、上記カバー周縁のフランジ１Ｂの下面から差出されている取付けリブ１Ｃを嵌着するためのリブ嵌着溝７が形成されている。そして上記リブ嵌着溝７の外側からは周壁部８が立設されている。上記周壁部８の四辺の各面には上記カバー周縁のフランジ１Ｂと係合する係合突起９がそれぞれ突設されている。そして上記各周壁部８の上面には補強のために剛性を付与する補強リブ１０がそれぞれ設けられている。更に上記周壁部８の四隅には脚部１１が上記シート３の裏側から立設されている。
上記冶具２に上記カバー１を取付けるには、図６に示すように上記カバー１のフランジ１Ｂのリブ１Ｃを、上記冶具２のカバー取付部５の開口部６の周縁部に設けられているリブ嵌着溝７に嵌着する。この状態で上記冶具２のリブ嵌着溝７外側から立設されている各周壁部８に突設されている係合突起９が上記カバー１のフランジ１Ｂに係合して、上記フランジ１Ｂのリブ１Ｃが上記冶具２のリブ嵌着溝７からはずれるのを防止する。
このようにしてカバー１を冶具２に取付けたら、図６に示すように上記冶具２の高段部４の四角枠形状に適嵌する四角形状の上端部を有する箱形の支持台１２上に上記冶具２を載置し、スプレー装置１３によって防曇剤ＡＦを上記カバー１の内面１Ｄに塗布する。上記支持台１２は箱形であるから、スプレー装置１３からスプレーされる防曇剤ＡＦのミストが上記カバー１の下側に回り込んで、該カバー１の外面（表面）側に付着することが防止される。
【００１１】
上記防曇剤ＡＦを塗布した後は、図７に示すように冶具２を上下逆にして脚部１１によって基台Ｂ上に上記冶具２を支持し、上記カバー１の内面に塗布した防曇剤ＡＦを所望なれば加熱して乾燥する。乾燥後は上記カバー１を上記冶具２からはずす。
上記実施例において、上記カバー１は例えばポリカーボネートのような硬質透明樹脂の材料として使用し、例えば射出成形によって製造し、上記冶具２はポリ塩化ビニル、ポリプロピレン、ポリエステル、ポリアミド、ポリフェニレンエーテル等の熱可塑性樹脂を材料とするシートを真空成形、圧空成形、真空−圧空成形、プレス成形等によって成形した成形品である。
更に防曇剤ＡＦとしては例えば、モティパーＨシリーズ（登録商標  日油株式会社製）が使用される。
上記実施例以外、例えば図８に示すように、１個の冶具２１に複数個（図では４個）のカバー取付部５を設けた構成のものを使用してもよい。
【産業上の利用可能性】
【００１２】
本発明にあっては、自動車等のランプの大量防曇処理が大量に容易に可能になるから、産業上利用可能である。
【符号の説明】
【００１３】
１              カバー
１Ｂ            フランジ
１Ｃ            取付けリブ
２              冶具
３              熱可塑性樹脂シート
４              高段部
５              カバー取付部
６              開口部
７              リブ嵌着溝
８              周壁部
９              係合突起
１１            脚部
１２            支持台
【図１】
0006487734.tif 000002
【図２】
0006487734.tif 000003
【図３】
0006487734.tif 000004
【図４】
0006487734.tif 000005
【図５】
0006487734.tif 000006
【図６】
0006487734.tif 000007
【図７】
0006487734.tif 000008
【図８】
0006487734.tif 000009